(57)【要約】      （修正有）【課題】プラズマディスプレイ装置の駆動部の回路構成を簡単にして生産単価を節減し、それぞれの駆動信号間の干渉またはＥＭＩ発生を抑制し、また、プラズマディスプレイ装置駆動の時発生される暗放電を低減させてコントラストを上昇させることにある。【解決手段】第１電極または第２電極の一方に、一つのフレームの一番目サブフィールド期間で第１セットアップ信号（ＲＰ１）を供給し、残りのサブフィールドの内で少なくともいずれか一つのサブフィールドで第１セットアップ信号の電圧の大きさより小さな電圧の大きさを持つ第２セットアップ信号（ＲＰ３）を供給し、前記第１電極または前記第２電極の内でいずれか一つの電極に互いに逆極性の第１及び第２サステイン信号（ＳＣＰ又はＳＰ）を交互に供給する。【選択図】図４
2006330726.tif 000002
【特許請求の範囲】
【請求項１】
互いに並んで形成される第１電極及び第２電極、前記第１電極及び前記第２電極と交差する第３電極を含むプラズマディスプレイパネルと、
前記第１電極または前記第２電極の内でいずれか一つの電極に一つのフレームの一番目サブフィールド期間で第１セットアップ信号を供給して、一番目サブフィールドを除いた残りのサブフィールドの内で少なくともいずれか一つのサブフィールドで第１セットアップ信号の電圧の大きさより小さな電圧の大きさを持つ第２セットアップ信号を供給して、前記第１電極または前記第２電極の内でいずれか一つの電極に第１サステイン信号と前記第１サステイン信号の逆極性である第２サステイン信号を交番させて供給する駆動部を含むことを特徴とするプラズマディスプレイ装置。
【請求項２】
前記第２セットアップ信号の電圧の大きさは前記第１サステイン信号または第２サステイン信号の電圧の大きさと実質的に等しいことを特徴とする、請求項１記載のプラズマディスプレイ装置。
【請求項３】
前記第１セットアップ信号が供給されるうちに前記第３電極には前記第１セットアップ信号と同一極性の信号が供給されることを特徴とする、請求項１記載のプラズマディスプレイ装置。
【請求項４】
前記等しい極性の信号の電圧の大きさはアドレス信号の電圧の大きさと実質的に等しいことを特徴とする、請求項３記載のプラズマディスプレイ装置。
【請求項５】
前記第１サステイン信号が供給されるうちに前記第３電極に前記第１サステイン信号と等しい極性の信号が供給されることを特徴とする、請求項１記載のプラズマディスプレイ装置。
【請求項６】
前記等しい極性の信号の電圧の大きさはアドレス信号の電圧の大きさと実質的に等しいことを特徴とする、請求項５記載のプラズマディスプレイ装置。
【請求項７】
前記第１電極または前記第２電極の内でいずれか一つの電極にはセッダウン信号が供給されることを特徴とする、請求項１記載のプラズマディスプレイ装置。
【請求項８】
前記セッダウン信号の傾きは１０Ｖ／ｕｓ以下であることを特徴とする、請求項７記載のプラズマディスプレイ装置。
【請求項９】
前記セッダウン信号が供給されるうちに、他の電極には正極性バイアス信号が供給されることを特徴とする、請求項７記載のプラズマディスプレイ装置。
【請求項１０】
前記セッダウン信号の供給が終わる時点に、他の電極には正極性バイアス信号が供給されることを特徴とする、請求項７記載のプラズマディスプレイ装置。
【請求項１１】
交番する前記第１サステイン信号と前記第２サステイン信号の間には所定の基準信号が供給されることを特徴とする、請求項１記載のプラズマディスプレイ装置。
【請求項１２】
前記基準信号の電圧レベルはグラウンド電圧レベルであることを特徴とする、請求項１１記載のプラズマディスプレイ装置。
【請求項１３】
前記第１電極または第２電極の内でいずれか一つの電極は接地されることを特徴とする、請求項１記載のプラズマディスプレイ装置。
【請求項１４】
前記駆動部は第１電極及び第２電極に信号を供給するための単一駆動ボードを含むことを特徴とする、請求項１記載のプラズマディスプレイ装置。
【請求項１５】
前記第１電極と第２電極がパッド部と重なる部分の長さが互いに異なることを特徴とする、請求項１４記載のプラズマディスプレイ装置。
【請求項１６】
前記第１電極と前記第２電極を共に前記単一駆動ボードと連結する一つの連結部材を含むことを特徴とする、請求項１４記載のプラズマディスプレイ装置。
【請求項１７】
前記第１電極と第２電極が複数個の場合、前記第１電極と前記第２電極は互いに交互に配置されることを特徴とする、請求項１４記載のプラズマディスプレイ装置。
【請求項１８】
前記第１電極と第２電極が複数個の場合、前記第１電極または第２電極の内でいずれか一つの電極は同一電極どうし互いに隣合うように配置されることを特徴とする、請求項１４記載のプラズマディスプレイ装置。
【請求項１９】
前記互いに隣合う電極は端が互いに繋がれることを特徴とする、請求項１８記載のプラズマディスプレイ装置。
【請求項２０】
互いに並んで形成される第１電極及び第２電極を含むプラズマディスプレイパネルと、 前記第２電極には正極性サステイン信号と負極性サステイン信号を交互に供給して、前
記正極性サステイン信号と実質的に等しい電圧レベルのセットアップ信号を一つのフレームで一番目サブフィールドを除いた残りのサブフィールドの内で少なくともいずれか一つのサブフィールド期間に供給する駆動部と、
を含むプラズマディスプレイ装置。
【請求項２１】
互いに並んで形成される第１電極及び第２電極、前記第１電極及び前記第２電極と交差する第３電極を含むプラズマディスプレイ装置の駆動方法において、
前記第１電極または前記第２電極の内でいずれか一つの電極に一つのフレームの一番目サブフィールド期間で第１セットアップ信号を供給する段階と、
前記第１セットアップ信号の電圧の大きさより小さな電圧の大きさを持つ第２セットアップ信号を一番目サブフィールドを除いた残りのサブフィールドの内で少なくともいずれか一つのサブフィールド期間で供給する段階と、
前記第１電極または前記第２電極の内でいずれか一つの電極に第１サステイン信号と前記第１サステイン信号の逆極性である第２サステイン信号を交番させて供給する段階と、を含むことを特徴とするプラズマディスプレイ装置の駆動方法。
【発明の詳細な説明】
【技術分野】
【０００１】
本発明は、プラズマディスプレイ装置に関し、より詳くは、プラズマディスプレイ装置の駆動信号及び構造に関する。
【背景技術】
【０００２】
プラズマディスプレイ装置は電極が形成されるプラズマディスプレイパネルと、画像を具現するために電極に信号を供給する駆動部を主要構成要素とする。
【０００３】
プラズマディスプレイパネルは、第１電極と第２電極が対を成して並んで形成された前面パネルと、第１電極と第２電極に交差する第３電極が形成された背面パネルとを含む。プラズマディスプレイパネルは、前面パネルと背面パネルの間に形成された隔壁で放電セルを区切る。放電セル内にはネオン（Ｎｅ）、ヘリウム（Ｈｅ）またはネオン及びヘリウムの混合気体（Ｎｅ＋Ｈｅ）のような主放電気体と少量のキセノンを含む不活性ガスが充填されている。
【０００４】
駆動部は外部で入力される映像信号によってプラズマディスプレイパネルを駆動する駆動信号をプラズマディスプレイパネルの電極に供給する。
【０００５】
駆動信号によって放電セル内にはプラズマ放電が発生する。放電が起きる時、不活性ガスは真空紫外線（Ｖａｃｕｕｍ Ｕｌｔｒａｖｉｏｌｅｔ ｒａｙｓ）を発生させて、真空紫外線は隔壁の間に形成された蛍光体を発光させて画像が具現される。
【０００６】
一方、従来の駆動部は第１電極乃至第３電極それぞれに駆動信号を供給するためのそれぞれの駆動ボードからなる構造を持った。これによって、駆動部の回路構成が複雑になって、生産単価が上昇する問題点があった。また、それぞれの駆動ボードの回路設計に誤差がある場合、それぞれの駆動信号の供給タイミングによる位相の差によって駆動信号間の干渉またはＥＭＩ（ｅｌｅｃｔｒｏｍａｇｎｅｔｉｃ  ｉｎｔｅｒｆｅｒｅｎｃｅ）が発生される問題点がある。
【発明の開示】
【発明が解決しようとする課題】
【０００７】
本発明は、前記のような問題点を解決することを目的とし、本発明の目的は、プラズマディスプレイ装置の駆動部の回路構成を簡単にして生産単価を節減することにある。
【０００８】
また、本発明の他の目的は、それぞれの駆動信号間の干渉またはＥＭＩ（ｅｌｅｃｔｒｏｍａｇｎｅｔｉｃ  ｉｎｔｅｒｆｅｒｅｎｃｅ）発生を抑制することにある。
【０００９】
本発明のまた他の目的は、プラズマディスプレイ装置駆動の時発生される暗放電を低減させてコントラストを上昇させることにある。
【課題を解決するための手段】
【００１０】
本発明の一実施形態によるプラズマディスプレイ装置は、互いに並んで形成される第１電極及び第２電極、前記第１電極及び前記第２電極と交差する第３電極を含むプラズマディスプレイパネルと、前記第１電極または前記第２電極の内で何れか一つの電極に一つのフレームの一番目サブフィールド期間で第１セットアップ信号を供給して、一番目サブフィールドを除いた残りのサブフィールドの内で少なくとも何れか一つのサブフィールドで第１セットアップ信号の電圧の大きさより小さな電圧の大きさを持つ第２セットアップ信号を供給して、前記第１電極または前記第２電極の内で何れか一つの電極に第１サステイン信号と前記第１サステイン信号の逆極性である第２サステイン信号とを交番させて供給する駆動部と、を含む。
【００１１】
前記第２セットアップ信号の電圧の大きさは前記第１サステイン信号または第２サステイン信号の電圧の大きさと実質的に等しいのが望ましい。
【００１２】
前記第1 セットアップ信号が供給されるうちに前記第３電極には前記第１セットアップ信号と同一極性の信号が供給されることが望ましい。
【００１３】
前記等しい極性の信号の電圧の大きさはアドレス信号の電圧の大きさと実質的に等しいのが望ましい。
【００１４】
前記第１サステイン信号が供給されるうちに前記第３電極に前記第１サステイン信号と等しい極性の信号が供給されることが望ましい。
【００１５】
前記等しい極性の信号の電圧の大きさはアドレス信号の電圧の大きさと実質的に等しいのが望ましい。
【００１６】
前記第１電極または前記第２電極の内で何れか一つの電極にはセッダウン信号が供給されることが望ましい。
【００１７】
前記セッダウン信号の傾きは１０Ｖ／ｕｓ 以下であることが望ましい。「ｕｓ」は、マイクロ秒を意味する。以下同様。
前記セッダウン信号が供給されるうちに、他の電極には正極性バイアス信号が供給されることが望ましい。
【００１８】
前記セッダウン信号の供給が終わる時点に、他の電極には正極性バイアス信号が供給されることが望ましい。
【００１９】
交番する前記第１サステイン信号と前記第２サステイン信号の間には所定の基準信号が供給されることが望ましい。
【００２０】
前記基準信号の電圧レベルはグラウンド電圧レベルであることが望ましい。
【００２１】
前記第１電極または第２電極の内で何れか一つの電極は接地されることが望ましい。
【００２２】
前記駆動部は第１電極及び第２電極に信号を供給するための単一駆動ボードを含むのが望ましい。
【００２３】
前記第１電極と第２電極がパッド部と重なる部分の長さが互いに異なることが望ましい。
【００２４】
前記第１電極と前記第２電極を共に前記第１駆動ボードと連結する一つの連結部材を含むのが望ましい。
【００２５】
前記第１電極と第２電極が複数個の場合、前記第１電極と前記第２電極は互いに交互に配置されることができる。
【００２６】
前記第１電極と第２電極が複数個の場合、前記第１電極または第２電極の内で何れか一つの電極は同一電極どうし互いに隣合うように配置されることができる。
【００２７】
前記互いに隣合う電極は端が互いに繋がれるのが望ましい。
【００２８】
本発明の他の実施形態によるプラズマディスプレイ装置は、互いに並んで形成される第１電極及び第２電極を含むプラズマディスプレイパネルと、前記第２電極には正極性サステイン信号と負極性サステイン信号を交互に供給して、前記正極性サステイン信号と実質的に等しい電圧レベルのセットアップ信号を一つのフレームで一番目サブフィールドを除いた残りのサブフィールドの内で少なくとも何れか一つのサブフィールド期間に供給する駆動部を含む。
【００２９】
本発明の一つの実施形態によるプラズマディスプレイ装置の駆動方法は、互いに並んで形成される第１電極及び第２電極、前記第１電極及び前記第２電極と交差する第３電極を含むプラズマディスプレイ装置の駆動方法に関する。この駆動方法は、は前記第１電極または前記第２電極の内で何れか一つの電極に一つのフレームの一番目サブフィールド期間で第１セットアップ信号を供給する段階と、前記第１セットアップ信号の電圧の大きさより小さな電圧の大きさを持つ第２セットアップ信号を一番目サブフィールドを除いた残りのサブフィールドの内で少なくとも何れか一つのサブフィールド期間で供給する段階と、前記第１電極または前記第２電極の内で何れか一つの電極に第１サステイン信号と前記第１サステイン信号の逆極性である第２サステイン信号を交番させて供給する段階と、を含む。
【発明を実施するための最良の形態】
【００３０】
その他実施形態の具体的な事項は詳細な説明及び図面に含まれている。 本発明の利点及び特徴、そしてそれらを果たす方法は添付される図面と共に詳細に後述されている実施形態を参照すれば明確になるであろう。明細書全体にかけて同一参照符号は同一構成要素を指称する。
【００３１】
図１は、本発明の一つの実施形態によるプラズマディスプレイパネルを説明するための図である。
【００３２】
図１に示すように、本発明の一つの実施形態によるプラズマディスプレイパネルは、所定の間隔を置いて合着される前面パネル１００と背面パネル１１０を含む。
【００３３】
前面パネル１００は、前面基板１０１上に対を成して並んで形成される第１電極１０２と第２電極１０３とを含む。第１電極１０２と第２電極１０３は、透明なＩＴＯ物質で形成された透明電極（１０２ａ、１０３ａ）と、バス電極（１０２ｂ、１０３ｂ）とからなる。第１電極１０２と題第２電極１０３は、放電電流を制限して電極対の間を絶縁させてくれる上部誘電体層１０４によって覆わせられて、上部誘電体層１０４上面には放電条件を容易くするために酸化マグネシウム（ＭｇＯ）を蒸着した保護層１０５が形成される。
【００３４】
背面パネル１１０は、背面基板１１１上に複数個の放電空間すなわち、放電セルを区切る隔壁１１２が形成される。また、アドレス放電を遂行して真空紫外線を発生させる複数の第３電極１１３が第１電極１０２と第２電極１０３に交差する方向に配置される。背面パネル１１０上には、アドレス放電の時画像表示のための可視光線を放出するＲ（Ｒｅｄ）、Ｇ（Ｇｒｅｅｎ）、Ｂ（Ｂｌｕｅ） 蛍光体１１４が塗布される。第３電極１１３と蛍光体１１４の間には、第３電極１１３を保護するための下部誘電体層１１５が形成される。
【００３５】
ここで、本発明のプラズマディスプレイパネルの構造は、図１のプラズマディスプレイパネルの構造に限定されず、その必要によってその構造を多様に変形することができる。例えば、隔壁は放電セルを隣合う放電セルとオープンさせるオープンタイプと、放電セルを隣合う放電セルと閉鎖させるクローズタイプの内で何れか一つのタイプで形成するのが可能である。また、第１電極１０２と第２電極１０３は、図１では透明電極（１０２ａ、１０３ａ）が形成されているが、透明電極を使わないでバス電極だけで成るＩＴＯ−ｌｅｓｓ 電極構造で形成することができる。
【００３６】
図２は本発明の一つの実施形態による駆動部を説明するための図である。
【００３７】
図２に示すように、本発明の一つの実施形態によるプラズマディスプレイ装置は、第１電極または第２電極を駆動するための第１駆動ボード２１０と、第３電極を駆動するための第２駆動ボード２３０とを含む。
【００３８】
第１駆動ボード２１０は、前面パネルと背面パネルからなるプラズマディスプレイパネル１００の第１電極または第２電極に駆動信号を供給する。第１電極または第２電極を駆動する駆動信号は、第１駆動ボード２１０とプラズマディスプレイパネル１００の第１電極または第２電極を連結する連結部材２１１を経由して印加される。連結部材２１１には、Ｆｌｅｘｉｂｌｅ Ｆｌａｔ ＣａｂｌｅまたはＦｌｅｘｉｂｌｅ Ｐｒｉｎｔｅｄ Ｃａｂｌｅ の内で何れか一つが使われる。本発明の一つの実施形態では、従来と異なり、互いに対を成して形成される第１電極または第２電極を駆動するための単一駆動ボードである第１駆動ボード２１０を具備することで、その生産費用を節減することができる。このために本発明の一つの実施形態では、第１電極または第２電極に供給される駆動信号を改善するようにする。すなわち、駆動信号を改善することで、駆動信号を供給するための素子数を減らして、回路構成が簡単にできる。 
【００３９】
同時に、 一つの駆動ボードで第１電極及び第２電極を容易に駆動することができる。本発明の一つの実施形態による駆動信号に関するより詳細な説明は次図３乃至図１１を通じて記述する。
【００４０】
第２駆動ボード２３０は、プラズマディスプレイパネル１００の第３電極に駆動信号を印加する。 第３電極を駆動する駆動信号は、第２駆動ボード２３０とプラズマディスプレイパネル１００の第３電極を連結する連結部材２３１を経由して印加される。ここで、連結部材２３１は集積回路が形成されたＣＯＦ（Ｃｈｉｐ ｏｎ Ｆｉｌｍ）またはＴＣＰ（Ｔａｐｅ Ｃａｒｒｉｅｒ Ｐａｃｋａｇｅ）を使う。
【００４１】
コントロールボード２４０は、外部から入力される映像信号を利用して画像を具現するための信号を発生させる。例えば、コントロールボード２４０は、第１駆動ボード２１０及び第２駆動ボード２３０それぞれの動作タイミングを制御するタイミング制御信号を発生する。コントロールボード２４０は、第１ケーブル２４１を経由して第１電極または第２電極に供給される駆動信号のタイミングを制御するためのタイミング制御信号を第１駆動ボード２１０に供給して、第２ケーブル２４３を経由して第３電極に供給される駆動信号のタイミングを制御するためのタイミング制御信号を第２駆動ボード２３０で供給する。
【００４２】
電源ボード（図示せず）は、それぞれのボード（２１０、２３０、２４０）に電源を供給する。
【００４３】
このように、 本発明の一つの実施形態では、一つの駆動ボードを利用して第１電極または第２電極を駆動する。本発明の一つの実施形態による一つの駆動ボードを含む駆動部は、その必要によって構造を多様に変形することができる。例えば、駆動信号の波形によっても駆動部の構造を異にすることができる。これに関する説明は、以後図３乃至図１１を通じて記述される本発明の一つの実施形態による駆動信号の波形を基礎にして、図１２乃至図１４を通じて記述する事にする。
【００４４】
図３は、本発明の一つの実施形態によるプラズマディスプレイパネルの画像を具現する方法を示す図である。
【００４５】
図３に示すように、プラズマディスプレイ装置は、一つのフレーム期間を表示光放電回数がお互いに異なる複数個のサブフィールドで分けて、入力される映像信号の階調値にあたるサブフィールド期間で表示光を放電を遂行することで、プラズマディスプレイパネルに画像を具現する。
【００４６】
各サブフィールドは、すべての放電セルの状態を均一にさせるためのリセット期間、ターンオンされる放電セルを選択するためのアドレス期間及び放電回数によって階調を具現するサステイン期間で分けられる。例えば、２５６階調で画像を表示しようとする場合には、１／６０秒にあたるフレーム期間（１６。６７ｍｓ）は８個のサブフィールドで分けられるようになる。
【００４７】
同時に、８個のサブフィールドそれぞれはリセット期間、アドレス期間及びサステイン期間に更に分けられるようになる。ここで、サステイン期間は、各サブフィールドで２n（ｎ＝０、１、２、３、４、５、６、７）の割合で増加される。このように各サブフィールドでサステイン期間が変わるようになるので画像の階調（Ｇｒａｙ ｌｅｖｅｌ）を具現することができるようになる。すなわち、それぞれのサブフィールドにサステインパルスの個数を一定な原理によって分配した後、それぞれのサブフィールドをオン/オフする方式を通じてオンになるサブフィールドのサステインパルスの個数合で階調が表現される。
【００４８】
図３では、一つのフレームが８個のサブフィールドからなる場合だけで示して説明したが、これとは異なるように一つのフレームを成すサブフィールドの個数は多様に変更されることができる。例えば、第１サブフィールドから第１２サブフィールドまでの１２個のサブフィールドで一つのフレームを構成することもできて、１０個のサブフィールドで一つのフレームを構成することができる。また、図３では一つのフレームで階調加重値の大きさが増加する手順によってサブフィールドが配列されたが、これとは異なり、一つのフレームでサブフィールドが階調加重値が減少する手順によって配列されることもできて、または階調加重値にかかわらずサブフィールドが配列されることもできる。
【００４９】
このような方法で映像の階調を具現する本発明の一つの実施形態によるプラズマディスプレイ装置のより詳しい機能及び動作は、以後の本発明の一実施形態によるプラズマディスプレイ装置の駆動方法の説明を通じてより明確になるでしょう。
【００５０】
図４は、本発明の第１実施形態による駆動信号を説明するための図である。
【００５１】
図４に示すように、本発明の第１実施形態による駆動信号は、一つのフレームを複数のサブフィールドで分割して、各サブフィールドは、全画面の放電セルを初期化するためのリセット区間（ＲＰＤ）と、放電セルを選択するためのアドレス区間（ＡＰＤ）と、選択された放電セルの放電を維持させるためのサステイン区間（ＳＰＤ）とに区分されて、これらの組合せによって画像を具現する。
【００５２】
リセット区間（ＲＰＤ）においては、セットアップ信号を供給するセットアップ（ｓｅｔ＿ｕｐ）期間と、セッダウン信号を供給するセッダウン（ｓｅｔ＿ｄｏｗｎ） 期間と、を含む。 セットアップ信号は、一番目サブフィールド期間で第１電極に供給される第１セットアップ信号と、一番目サブフィールド期間を除いた複数のサブフィールドの内で少なくとも何れか一つのサブフィールド期間で第２電極に供給される第２セットアップ信号とに区分される。ここで、第２セットアップ信号は、第１セットアップ信号より電圧の大きさが小さいようにすることが望ましい。図４を参照すれば、一番目サブフィールドでは、第１電極に正極性サステイン電圧（Ｖｓ）から所定のピーク電圧まで所定の傾きで上昇する第１セットアップ信号（ＲＰ１）が供給されて、第１セットアップ信号（ＲＰ１）の後、負極性（−）からランプ下降するセッダウン信号（ＲＰ２）が供給される。そして、二番目サブフィールドでは、第２電極に正極性サステイン電圧（Ｖｓ）まで所定の傾きで上昇する第２セットアップ信号（ＲＰ３）が供給されて、第２セットアップ信号（ＲＰ３）の後、第１電極に負極性（−）でランプ下降するセッダウン信号（ＲＰ２）が供給される。この時、ピーク電圧は、図示するように正極性（＋）の２Ｖｓとし、セッダウンパルスは最終値が負極性（−）を持つことが望ましい。また、セッダウン信号の傾きは短い時間に電圧が変化されることにより誤放電が起きることを防止するために緩い傾きを持つようにする。望ましくはセッダウン信号の傾きの大きさは １０Ｖ／ｕｓ以下で調節する。 
【００５３】
また、第２セットアップ信号は、先立って言及されたように、正極性サステイン電圧（Ｖｓ）大きさを持つのが望ましく、これによって別途の第２セットアップ信号の電圧源が不必要なので生産費用を節減することができる。
【００５４】
これによって、一番目サブフィールドでは、第１セットアップ信号（ＲＰ１）によってセル内に微弱な放電(セットアップ放電)が起きるようになって壁電荷が生成されて、以後セッダウン信号（ＲＰ２）によって微弱な消去放電を起こすことで、セットアップ放電によって生成された壁電荷及び空間電荷の内で不必要な電荷を消去させる同時に、後述するアドレス放電に必要な壁電荷を均一に残させる機能をする。
【００５５】
第１セットアップ信号は電圧大きい為、充分に壁電荷を生成させることができるがセットアップ放電によって表示光と関係ないセットアップ光が発生される。このような点を考慮して本発明の一つの実施形態では、一つのフレームが始まる一番目サブフィールドでは電圧の大きい第１セットアップ信号を供給して充分に壁電荷を生成させた後、残りサブフィールドでは電圧の大きさが第１セットアップ信号より小さな第２セットアップ信号を供給することで、セットアップ光が画面に表示されることを抑制するようにする。これによって、 リセット期間で発光がないのでコントラスト比（ｃｏｎｔｒａｓｔ ｒａｔｉｏ）を向上させることができる。ここで、第１セットアップ信号は、一番目サブフィールドだけではなく一フレーム内で充分に壁電荷を生成させる必要がある場合には、他のサブフィールドでも供給されることができる。
【００５６】
また、本発明の第１実施形態による駆動信号は、サステイン期間後壁電荷を消去するための別途の消去信号を含まない。すなわち、第２セットアップ信号が第２電極に供給されるサステイン信号に引き続き供給されるによって、第２セットアップ信号は壁電荷を消去させる機能も遂行することができる。
【００５７】
ここで、第１セットアップ信号または第２セットアップ信号が供給される電極は、図４の例に限定されず、本発明の一つの実施形態による第１駆動ボードによって第１電極または第２電極の内で何れか一つの電極で選択して供給することができる。
【００５８】
アドレス期間（ＡＰＤ）は、サステイン期間にターンオンされる放電セルを選択するための期間として、スキャン基準信号から負極性方向に第１電極に供給されるスキャン信号（ＳＣＰ）と正極性方向に第３電極に供給されるアドレス信号（ＡＰ）が同期される時、アドレス放電を起こす。アドレス放電は、放電セルの壁電荷状態をサステイン放電のための壁電荷状態で作る。
【００５９】
サステイン期間（ＳＰＤ）では、正極性方向の第１サステイン信号と負極性方向の第２サステイン信号とを交番させて第２電極に供給する。これによって、アドレス放電によって選択された放電セル内で壁電圧とサステイン信号（ＳＰ）の電圧とが加わりながら、毎サステイン信号（ＳＰ）が供給される度にサステイン放電が起きるようになる。ここで、第２電極に供給される第１サステイン信号は、サステイン放電開始電圧の大きさを持つ正極性サステイン電圧（Ｖｓ）大きさを持って、第２サステイン信号はサステイン放電電圧の大きさを持つ負極性サステイン電圧（−Ｖｓ） 大きさを持つ。
【００６０】
このように、 本発明の一つの実施形態では、第１サステイン信号と第２サステイン信号とで交番するサステイン信号を一つの電極に供給することで、一つのサステイン駆動回路のみを具備するのが可能である。例えば、対を成す第１電極と第２電極の内で第２電極に供給されるサステイン信号を制御する一つのスイチング素子と、サステイン信号を効果的に供給するための一つのエネルギー回収回路だけでサステイン放電を遂行することができる。
【００６１】
これにより、本発明の一つの実施形態では、第１電極と第２電極を駆動するための一つの駆動ボードを容易に設計することができる。一方、本発明の第１実施形態による一つのサブフィールドの一番目サステイン信号は、傾きを持って上昇させるようにする。これは、一番目サステイン信号の放電の強さを減らすことで誤放電が発生されることを抑制するためである。
【００６２】
図５は、本発明の第２実施形態による駆動信号を説明するための図である。
【００６３】
図５に示すように、本発明の第２実施形態による駆動信号は、一つのフレームを複数のサブフィールドで分割して、各サブフィールドは全画面の放電セルを初期化するためのリセット区間（ＲＰＤ）と、放電セルを選択するためのアドレス区間（ＡＰＤ）及び選択された放電セルの放電を維持させるためのサステイン区間（ＳＰＤ）に区分されて、これらの組合せによって画像を具現する。本発明の第２実施形態による駆動信号の特徴の内で、本発明の第１実施形態による駆動信号の特徴と実質的に等しい特徴に対する説明は図４で既に記述されたので略する。
【００６４】
本発明の第２実施形態による駆動信号の第１セットアップ信号と第１セットアップ信号より電圧の大きさが小さな第２セットアップ信号は負極性方向に供給される。すなわち、第１セットアップ信号は一番目サブフィールドでは第２電極に負極性サステイン電圧（−Ｖｓ）から所定のピーク電圧（−２Ｖｓ）まで所定の傾きで下降する第１セットアップ信号（ＲＰ１‘）が供給されて、第１セットアップ信号（ＲＰ１’）の後、正極性（＋）でランプ上昇するセッダウン信号（ＲＰ２‘）が供給される。そして、二番目サブフィールドでは、第１電極に負極性サステイン電圧（−Ｖｓ）まで所定の傾きで下降する第２セットアップ信号（ＲＰ３’）が供給されて、第２セットアップ信号（ＲＰ３‘）の後、第２電極に正極性（＋）でランプ上昇するセッダウン信号（ＲＰ２’）が供給される。このように、本発明の第２実施形態では一つの駆動ボードを利用して第１電極または第２電極に駆動信号を供給するので、 駆動信号の波形の自由度を高めることができる。
【００６５】
図６は本発明の第３実施形態による駆動信号を説明するための図である。
【００６６】
図６に示すように、本発明の第３実施形態による駆動信号は一つのフレームを複数のサブフィールドで分割して、各サブフィールドは全画面の放電セルを初期化するためのリセット区間（ＲＰＤ）と、放電セルを選択するためのアドレス区間（ＡＰＤ）と、選択された放電セルの放電を維持させるためのサステイン区間（ＳＰＤ）とに区分されて、これらの組合せによって画像を具現する。本発明の第３実施形態による駆動信号の特徴の内で、本発明の第１及び第２実施形態による駆動信号の特徴と実質的に等しい特徴に対する説明は図４乃至図５で既に記述されたので略する。
【００６７】
本発明の第３実施形態では、本発明の第１実施形態に及び第２実施形態で記述された第１電極及び第２電極に供給されるすべての駆動信号を一つの電極、即第１電極または第２電極だけで供給する。すなわち、第１セットアップ信号、第２セットアップ信号、セッダウン信号、スキャン信号及びサステイン信号を第１電極だけで供給する。一つの電極だけで駆動信号を皆供給することで、一つの電極は所定の基準電圧を持つ基準信号のみを印加するのが可能である。望ましくは基準信号は、グラウンド電圧（０Ｖ）を持つようにする。これにより、第１電極または第２電極の内で駆動信号が供給されない電極は接地してその回路構成が簡単にできる。
【００６８】
図７は本発明の第４実施形態による駆動信号を説明するための図である。
【００６９】
図７に示すように、本発明の第４実施形態による駆動信号は、一つのフレームを複数のサブフィールドで分割して、各サブフィールドは全画面の放電セルを初期化するためのリセット区間（ＲＰＤ）と、放電セルを選択するためのアドレス区間（ＡＰＤ）と、選択された放電セルの放電を維持させるためのサステイン区間（ＳＰＤ）とに区分されて、これらの組合せによって画像を具現する。本発明の第４実施形態による駆動信号の特徴の内で、本発明の第１乃至第３実施形態による駆動信号の特徴と実質的に等しい特徴に対する説明は図４   乃至図６で既に記述されたので略する。
【００７０】
本発明の第４実施形態では、第１電極に正極性の第１セットアップ信号（ＲＰ１）を供給する間、第３電極に正極性の信号（ＰＰ１）を印加することで、セットアップ光の明るさを減らすのが可能である。セットアップ信号供給の時、すなわち、第１電極と第３電極間の電位差によって放電が発生されながら壁電荷が生成されるので、第１電極と第３電極間の電位差が大きくなるようになれば第１電極と第３電極間に放電が強く起きるようになる。 
【００７１】
したがって、本発明の第４実施形態では第１セットアップ信号が供給されるうちに第３電極には第１セットアップ信号と同一極性の信号を供給してコントラストを向上させるようにする。望ましくは、等しい極性の信号の電圧の大きさはアドレス信号の電圧の大きさ（Ｖａ）と実質的に等しいようにする。
【００７２】
また、本発明の第４実施形態では、第１電極に第１セットアップ信号だけではなくセッダウン信号を供給する間、第３電極に正極性の信号を印加することも可能である。すなわち、セットアップ光の明るさを減らすことと同時に他の要する効果のために、全体リセット期間の内でセットアップ期間のいずれの時点で第３電極に正極性の信号の供給を始めて、リセット期間のいずれの時点に第３電極に正極性の信号の供給を終わらせるのが可能である。
【００７３】
図８は、本発明の第５実施形態による駆動信号を説明するための図である。
【００７４】
図８に示すように、本発明の第５実施形態による駆動信号は、一つのフレームを複数のサブフィールドで分割して、各サブフィールドは、全画面の放電セルを初期化するためのリセット区間（ＲＰＤ）と、放電セルを選択するためのアドレス区間（ＡＰＤ）と、選択された放電セルの放電を維持させるためのサステイン区間（ＳＰＤ）とに区分けされて、これらの組合せによって画像を具現する。本発明の第５実施形態による駆動信号の特徴の内で、本発明の第１乃至第４実施形態による駆動信号の特徴と実質的に等しい特徴に対する説明は図４   乃至図７で既に記述されたので略する。
【００７５】
本発明の第５実施形態では第２電極に正極性の第１サステイン信号（ＳＰ）を印加する時点に第３電極に正極性の信号（ＰＰ２）を印加することでより強い放電を誘導するのが可能である。すなわち、第２電極に第１サステイン信号が供給される時、第３電極がグラウンド電圧を持つ場合、 第２電極と第３電極間の電位差が大きくなって第２電極と第３電極間に放電が起きるようになるが、このような放電によって実際には面放電に必要な多くの壁電荷が遺失される。したがって、本発明の第５実施形態では、第２電極に第１サステイン信号が供給されるうちに第３電極に第１サステイン信号と等しい極性の信号を供給する。これにより、第２電極と第３電極との間の放電を抑制または防止することが可能である。望ましくは、等しい極性の信号の電圧の大きさは、第１サステイン信号の電圧の大きさの４０〜６０％ 位になるようにアドレス信号の電圧の大きさと実質的に等しい大きさを持つようにする。
【００７６】
図９は、本発明の第６実施形態による駆動信号を説明するための図である。
【００７７】
図９に示すように、本発明の第６実施形態による駆動信号は、一つのフレームを複数のサブフィールドで分割して、各サブフィールドは全画面の放電セルを初期化するためのリセット区間（ＲＰＤ）と、放電セルを選択するためのアドレス区間（ＡＰＤ）と、選択された放電セルの放電を維持させるためのサステイン区間（ＳＰＤ）とに区分されて、これらの組合せによって画像を具現する。本発明の第６実施形態による駆動信号の特徴の内で、本発明の第１乃至第５実施形態による駆動信号の特徴と実質的に等しい特徴に対する説明は図４   乃至図８で既に記述されたので略する。
【００７８】
本発明の第６実施形態では、第１電極にセッダウン信号（ＲＰ２）が供給されるうちに、第２電極には正極性バイアス信号（ＰＢＰ１）を供給する。負極性方向を持つセッダウン信号（ＲＰ２）と対応して正極性方向を持つ正極性バイアス信号（ＰＢＰ１）が供給されるによって第１電極と第２電極間の電位差が増加する。ここで、負極性方向の信号とは信号の最低電圧レベルが必ず負極性を持つという意味ではなく負極性方向に降りる信号を意味する。また、正極性方向の信号とは正極性方向に降りる信号を意味する。
【００７９】
前記電位差は、セッダウン期間の間、第１電極と第２電極の間に消去放電を発生させることで、第１電極と第２電極間に壁電荷が過度に蓄積されることを防止することができる。 望ましくは、放電が強く発生されることを防止するために正極性バイアス信号（ＰＢＰ１）は、正極性の第１サステイン信号の電圧レベルより低いようにする。また、正極性バイアス信号（ＰＢＰ１）をセッダウン期間に引き続きアドレス期間の間供給する場合、第１電極と第２電極との電圧差を減らして第１電極と第２電極の間に誤放電を抑制して、第１電極と第３電極のアドレス放電を安定的に遂行することができる。
【００８０】
図１０は、本発明の第７実施形態による駆動信号を説明するための図である。
【００８１】
図１０に示すように、本発明の第７実施形態による駆動信号は、一つのフレームを複数のサブフィールドに分割して、各サブフィールドは全画面の放電セルを初期化するためのリセット区間（ＲＰＤ）と、放電セルを選択するためのアドレス区間（ＡＰＤ）と、選択された放電セルの放電を維持させるためのサステイン区間（ＳＰＤ）とに区分されて、これらの組合せによって画像を具現する。本発明の第７実施形態による駆動信号の特徴の内で、本発明の第１乃至第５実施形態による駆動信号の特徴と実質的に等しい特徴に対する説明は図４乃至図８で既に記述されたので略する。
【００８２】
本発明の第７実施形態では、第１電極に供給されるセッダウン信号（ＲＰ２）の供給が終わる時点に、第２電極には正極性バイアス信号（ＰＢＰ２）を供給する。望ましくは、放電が強く発生されることを防止するために正極性バイアス信号（ＰＢＰ２）は、正極性の第１サステイン信号の電圧レベルより低いようにする。正極性バイアス信号（ＰＢＰ２）をセッダウン信号の供給が終わる時点からアドレス期間の間供給する場合、第１電極と第２電極との電圧差を減らして第１電極と第２電極の間に誤放電が抑制して、第１電極と第３電極のアドレス放電を安定的に遂行することができる。
【００８３】
ここで、セッダウン期間には、本発明の第６実施形態と異なり、第２電極には正極性バイアス信号を供給しない。これはセッダウン期間で第１電極と第２電極との電圧差を減らしてセッダウン期間で放電セル内の壁電荷が過度に消去されることを防止することで、アドレス放電時アドレス放電に参加する壁電荷の量を充分に確保するためである。 この時、図７でセッダウン期間の第２電極に供給される信号の電圧はグラウンド電圧（０Ｖ）だが、正極性バイアス信号の電圧レベルより低くて、グラウンド電圧レベル以上なら十分である。アドレス放電時、放電に寄与する壁電荷の量を充分に確保することで、高速スキャニングが可能になってプラズマディスプレイ装置の高速駆動が可能になる。
【００８４】
このように、本発明の一つの実施形態では、第６実施形態と同様に、過度に蓄積されることを防止するためにセッダウン期間まで正極性バイアス信号（ＰＢＰ１）を供給するとか、第７実施形態でのように、過度に消去されることを防止するためにセッダウン期間が終わる時点で正極性バイアス信号（ＰＢＰ２）を供給することの内何れか一つをその必要によって選択的にできる。
【００８５】
図１１は、本発明の第８実施形態による駆動信号を説明するための図である。
【００８６】
図１１に示すように、本発明の第８実施形態による駆動信号は、一つのフレームを複数のサブフィールドで分割して、各サブフィールドは全画面の放電セルを初期化するためのリセット区間（ＲＰＤ）と、放電セルを選択するためのアドレス区間（ＡＰＤ）と、選択された放電セルの放電を維持させるためのサステイン区間（ＳＰＤ）とに区分されて、これらの組合せによって画像を具現する。本発明の第８実施形態による駆動信号の特徴の内で、本発明の第１乃至第７実施形態による駆動信号の特徴と実質的に等しい特徴に対する説明は図４   乃至図１０で既に記述されたので略する。
【００８７】
本発明の第８実施形態では交番する第１サステイン信号と第２サステイン信号の間に所定の基準信号を供給する。この時、基準信号の電圧レベルはグラウンド電圧（０Ｖ）レベルであることが望ましい。これは、第１サステイン信号と連続されて第２サステイン信号をすぐ供給する場合、 高電圧の信号の極性が急激に変化されるによって駆動ボードの回路素子が破損されることを防止するためのことである。したがって、第１サステイン信号と、 第１サステイン信号に引き継いだグラウンド信号と、グラウンド信号に引き継いだ第２サステイン信号と、 第２サステイン信号に引き継いだグラウンド信号を交互に供給することで、 ハードウェア的な負担を減らすことができる。
【００８８】
図１２は、本発明の一つの実施形態による駆動ボードと電極の連結関係を説明するための図で、本発明の一つの実施形態によるプラズマディスプレイ装置の断面を概略的に示すのである。
【００８９】
図１２に示すように、本発明の一つの実施形態による第１駆動ボード２１０は、第１連結部材１２１０を通じて第１電極と繋がれる。また、第１駆動ボード２１０は、第２連結部材１２２０を通じて第２電極と繋がれる。ここで、第２連結部材１２２０は、背面パネル１２０の背面と、プラズマディスプレイパネル１００を支持して、プラズマディスプレイ装置駆動の時発生される熱を外部に放出する放熱板1２３０との間を通じて、第１駆動ボード２１０と第２電極とを連結する。これにより、第１駆動ボード２１０は、プラズマディスプレイパネル１００の第１電極または第２電極に駆動信号を円滑に供給する。
【００９０】
図１３は、本発明の他の実施形態による駆動ボードと電極の連結関係を説明するための図である。
【００９１】
図１３に示すように、本発明の他の実施形態では、第１電極１０２と第２電極１０３を共に第１駆動ボード２１０と連結する一つの連結部材１３１０を含む。第１電極１０２と第２電極１０３は、図１２と異なり、等しい方向の端（同一側端部）で第１駆動ボード２１０と繋がれる。この場合、連結部材の使用を減らすことで製造費用を低減することができる。
【００９２】
一方、本発明の他の実施形態では、第１電極１０２と第２電極１０３がパッド部１３１１と重なる部分の長さを互いに異にするようにする。パッド部１３１１は連結部材１３１０の第１電極１０２及び第２電極１０３と繋がれる部分を意味する。前面パネル１１０に形成された第１電極１０２及び第２電極１０３は、パッド部１３１１上において電極間の間隔が狭い。この時、第１電極１０２及び第２電極１０３がパッド部１３１１と重なる部分で互いに等しい長さを持つ場合、第１電極１０２及び第２電極１０３が連結部材１３１０と正確にアラインメントされなければ、第１電極１０２及び第２電極の間で短絡が短絡が発生される可能性が高くなる。したがって、本発明の他の実施形態では第１電極１０２と第２電極１０３がパッド部１３１１と重なる部分の長さを互いに異にすることで、第１電極１０２と第２電極１０３の絶縁距離を充分に確保することができる。
【００９３】
図１４は本発明の一つの実施形態による第１電極と第２電極の構造を説明するための図である。
【００９４】
図１４に示すように、本発明の一つの実施形態では、図１４の（ａ）のように、第１電極１０２と第２電極１０３が複数個の場合、第１電極と第２電極は互いに交互に配置されるようにする。
【００９５】
また、本発明の一つの実施形態では図１４の（ｂ）のように、第１電極１０２と第２電極１０３が複数個の場合、第１電極または第２電極の内で何れか一つの電極は同一電極どうし互いに隣合うように配置されるようにする。望ましくは、互いに隣合う電極は端を互いに連結させるようにする。繋がれた一つの端に等しい駆動信号を供給することで、第１駆動ボードの回路構成が簡単にできる。
【図面の簡単な説明】
【００９６】
【図１】本発明の一つの実施形態によるプラズマディスプレイパネルを説明するための図。
【図２】本発明の一つの実施形態による駆動部を説明するための図。
【図３】本発明の一つの実施形態によるプラズマディスプレイパネルの画像を具現する方法を示す図。
【図４】本発明の第１実施形態による駆動信号を説明するための図。
【図５】本発明の第２実施形態による駆動信号を説明するための図。
【図６】本発明の第３実施形態による駆動信号を説明するための図。
【図７】本発明の第４実施形態による駆動信号を説明するための図。
【図８】本発明の第５実施形態による駆動信号を説明するための図。
【図９】本発明の第６実施形態による駆動信号を説明するための図。
【図１０】本発明の第７実施形態による駆動信号を説明するための図。
【図１１】本発明の第８実施形態による駆動信号を説明するための図。
【図１２】本発明の一つの実施形態による駆動ボードと電極の連結関係を説明するための図。
【図１３】本発明の他の実施形態による駆動ボードと電極の連結関係を説明するための図。
【図１４】本発明の一つの実施形態による第１電極と第２電極の構造を説明するための図。
【図１】
2006330726.tif 000003
【図１２】
2006330726.tif 000004
【図１３】
2006330726.tif 000005
【図１４】
2006330726.tif 000006
【図２】
2006330726.tif 000007
【図３】
2006330726.tif 000008
【図４】
2006330726.tif 000009
【図５】
2006330726.tif 000010
【図６】
2006330726.tif 000011
【図７】
2006330726.tif 000012
【図８】
2006330726.tif 000013
【図９】
2006330726.tif 000014
【図１０】
2006330726.tif 000015
【図１１】
2006330726.tif 000016